【事件の表示】
　特願２００１−９５７７８「レンズ付きフィルムユニット」拒絶査定不服審判事件〔平成１４年１０月　９日出願公開、特開２００２−２９６６６２〕について、次のとおり審決する。
【結　論】
　本件審判の請求は、成り立たない。
【理　由】
第１　手続の経緯及び本願発明
　本願は、平成１３年３月２９日に出願された特願２００１−９５７７８号の特許出願であって、平成１８年８月１４日付の拒絶理由通知に対し、平成１８年９月５日付の意見書とともに同日付の手続補正書が提出されたところ、前記拒絶理由により平成１８年１２月１４日付で拒絶査定がなされ、これに対し、拒絶査定不服審判の請求が平成１９年１月２３日になされたものである。
　したがって、当審の審理の対象とすべき本願発明は、平成１８年９月５日付の手続補正により補正された明細書の特許請求の範囲の請求項１ないし請求項３に記載された事項により特定されるものであるところ、そのうちの請求項１に係る発明（以下、「
本願発明１
「【請求項１】　撮影レンズを備えるとともに写真フィルムがユーザによる交換が不能に内蔵され、撮影操作に応じて撮影を行うレンズ付きフィルムユニットにおいて、
　視野枠の切り換えが自在なファインダと、
　前記写真フィルムとは異なる場所に感圧紙を備えるとともに、該感圧紙に、撮影コマごとに、撮影操作に応じて前記ファインダの視野枠切換情報を記録する情報記録機構を備えたことを特徴とするレンズ付きフィルムユニット。」
　
第２　引用刊行物及びその記載事項
（１）原審における拒絶査定の理由に引用された、本願の特許出願前に頒布された刊行物である特開平１０−２９３３４３号公報（以下、「
引用刊行物１
「【０００１】【発明の属する技術分野】　本発明は、レンズ付きフイルムユニットに関し、さらに詳しくは、撮影に関する各種のデータを内蔵したメモリＩＣに書き込むとともに、ストロボ回路を内蔵したレンズ付きフイルムユニットに関するものである。
　【０００２】【従来の技術】　簡単な撮影機構を内蔵したユニット本体に未露光の写真フルイルムを収納したレンズ付きフイルムユニットが販売されており、広く利用されている。また、このレンズ付きフイルムユニットには，ストロボ放電管，充電回路，電池（乾電池）等からなるストロボ装置を内蔵したタイプもあり、暗い場所での撮影に便利である。
　【０００３】　一方、フイルムカートリッジにＩＣメモリ（半導体メモリ）を組み込んでおき、写真撮影時にカメラから得られた撮影データをこのＩＣメモリに書き込んで現像所やユーザーが利用できるようにするシステムが提案されている（例えば、特開昭５６−１５４７２０号公報，特開平２−２１７８２９号公報）。
　【０００４】　ＩＣメモリに書き込まれる撮影データとしては、一般のカメラにあってはシャッタ秒時や絞り値、あるいはストロボ撮影を行ったか否かなどの露出データの他、プリント写真のアスペクト比が標準指定，パノラマ指定，Ｌプリント指定のいずれであるか、または特開昭５４−２６７２１号公報記載のようなトリミング指示機能をもったカメラではそのトリミング範囲を示すためのプリントフォーマットデータ、さらに撮影年月日を表すデートデータ、またカメラに設けられた入力手段からユーザーが任意に入力した文字データ（例えば撮影シーンに応じたタイトルやコメント）などがある。
　【０００５】　これらの撮影データはプリント処理を行う際に現像所で読み出され、例えば露出データはプリント時の露光制御に用いることができ、またプリントフォーマットデータはプリント倍率の自動設定やネガマスク，印画紙マスクの切換え制御に用いることができる。さらに、カメラ側で一律の画面サイズで撮影してもユーザーが指定した形態のプリント写真を作ることができる。
　【０００６】【発明が解決しようとする課題】　ところで、レンズ付きフイルムユニットに内蔵されるフイルムカートリッジ、あるいはレンズ付きフイルムユニットのユニット本体にメモリＩＣを内蔵して、このメモリＩＣに上記のような撮影データを書き込むようにしたものが本出願人から提案されている（例えば、特願平８−１９０６１号、特願平８−１１９４６号等）。これらによれば、例えばストロボ用に内蔵した電池を電源として、記録制御ＩＣ及びメモリＩＣを駆動し、撮影完了に記録制御ＩＣでメモリＩＣに撮影データを書き込むようにしている。
　【０００７】　しかしながら、撮影データの書き込み中にストロボ装置のストロボ回路が作動していると、このストロボ回路に比較的に大きな電流が流れるために、電池電圧が一時的な降下して、記録制御ＩＣやメモリＩＣが誤作動し、撮影データがメモリＩＣに書き込まれなかったり、正しい撮影データが書き込まれなくなるといった問題がある。
　【０００８】　本発明は上記問題点を解消するためになされたものであり、メモリＩＣにデータを正しく書き込むことができるストロボ回路を内蔵したレンズ付きフイルムユニットを提供することを目的とする。」
「【００１５】【発明の実施の形態】　本発明を実施したレンズ付きフイルムユニットの構成を図２に示す。レンズ付きフイルムユニットは、本体基部１１，露光ユニット１２，ストロボユニット１３，前カバー１４，後カバー１５とからなるユニット本体１０と、本体基部１１に装填される写真フイルムカートリッジ１６とからなる。
　【００１６】　図３に写真フイルムカートリッジ１６の外観を示すように、この写真フイルムカートリッジ１６は、現在市販されているAdvanced Photo System のものであり、カートリッジ本体１６ａ内に、写真フイルム１６ｂを巻きつけたスプール１７が回転自在に収納されている。スプール１７の両端は、カートリッジ本体１６ａの端面から露呈し、各々キー溝１７ａが形成されている。カートリッジ本体１６ａには、ポート口１８が設けられ、このポート口１８を通して写真フイルム１６ｂが出入りする。また、このポート口１８を開閉するために遮光蓋１９が組み込まれ、その両端はスプール１７と同様にカートリッジ本体１６ａの端面から露呈し、各々キー溝１９ａを有している。
　【００１７】　カートリッジ本体１６ａ内には、フイルム送り出し機構が内蔵されており、キー溝１９ａを介して遮光蓋１９を開いた状態でスプール１７を図中時計方向に回転させることによって、写真フイルム１６ｂがポート口１８を通して頭出しされる。写真フイルム１６ｂは、背面側（乳剤面と反対側）の全面に透明な磁気記録層が設けられたものが用いられている。この磁気記録層は、カメラやプリンターに設けられた磁気記録装置によって撮影データやプリント処理に必要なラボデータ等の記録に用いられる。また、メーカーが写真フイルムの種別やフイルムＩＤナンバーの記録に利用することも可能である。
　【００１８】　カートリッジ本体１６ａに貼付されたバーコードラベル１６ｃは、このカートリッジ本体１６ａのＩＤナンバーを表しており、カートリッジ本体１６ａと写真フイルム１６ｂとを一対一に対応づける。写真フイルム１６ｂのＩＤナンバーは、写真フイルム１６ｂの製造時にサイドプリントにより潜像としてバーコード記録されるが、これとともに上記のように写真フイルム１６ｂの磁気記録層に磁気記録しておいてもよい。符号２０は、写真フイルム１６ｂの種別や撮影可能枚数がバーコードで記録されたディスクを示す。このディスク２０は、スプール１７と一体に回転し、カメラあるいはプリンタに設けられたバーコードリーダによってデータ内容が読み取られるが、メモリＩＣ２１を内蔵するために省略してもよい。
　【００１９】　ところで、写真フイルム１６ｂの磁気記録層に撮影データの記録を行うためには、カメラやレンズ付きフイルムユニットに磁気ヘッド及びその駆動回路を含む磁気記録装置を内蔵させる必要があるが、この磁気記録装置が複雑化してカメラのコストアップが避けられない。したがって、特に普及型のローコストカメラ、あるいは製造時に予め写真フイルムを装填して販売され、使用後には撮影機本体がメーカーに回収されるレンズ付きフイルムユニットのような使い切り型のカメラの場合には、上記のような磁気記録装置を組み込むことはできず、Advanced Photo System の特長を活かすことができない。
　【００２０】　そこで、この写真フイルムカートリッジ１６のカートリッジ本体１６ａには、撮影データ等を記録するためのメモリＩＣ２１が組み込まれている。そして、メモリＩＣ２１に記録された撮影データ等を現像所等で読み出し、これを写真フイルム１６ｂの磁気記録層に転記したり、プリント時の露光補正データとして使用したりすることで、Advanced Photo System 特徴を活かすようにしている。なお、メモリＩＣ２１にデータを記録するためのカメラ側のデータ記録装置は、磁気記録装置と比較してコスト負担がわずかであるから、ローコストなカメラあるいはレンズ付きフイルムユニットにも採用することが可能である。
　【００２１】　メモリＩＣ２１には記憶保持用に電源を要せず、また電気的にデータの書き込みと消去とが可能なＥＥＰＲＯＭが用いられている。このメモリＩＣ２１は、周知のワイヤボンディング手法等によって、スプール１７の端部を取り囲むように露呈された接点部２２と電気的に接続されている。
　【００２２】　写真フイルムカートリッジ１６は、レンズ付きフイルムユニットだけでなく一般のカメラ用にも出荷されることになるが、レンズ付きフイルムユニット用に分けられたものについては、レンズ付きフイルムユニットに装填された後に、メモリＩＣ２１の所定のアドレス域にＬＦ識別データ、製造年月日データ、初期化時間データ、ＩＤナンバー等が基礎データとして書き込まれてから、レンズ付きフイルムユニットに装填される。初期化時間データは、後述する記録制御ＩＣ４０によって計測される累積時間の計測開始時間を表している。
　【００２３】　図２において、本体基部１１には、暗箱部１１ａの両側にカートリッシ室１１ｂとフイルムロール室１１ｃとが一体に形成されている。カートリッシ室１１ｂとフイルムロール室１１ｃには、製造段階でそれぞれ写真フイルムカートリッジ１６のカートリッジ本体１６ａと、このカートリッジ本体１６ａから引き出した写真フイルム１６ｂをロール状にしたフイルムロールとが装填される。
　【００２４】　露光ユニット１２は、従来のレンズ付きフイルムユニットと同様に、シャッタチャージ機構，フイルム巻止め機構，カウンタ送り機構，シャッタ駆動機構及びシャッタ羽根，撮影レンズ１２ａ、ファインダ１２ｂを構成する対物レンズと接眼レンズとが組み込まれており、暗箱部１１ａの前面に組み付けられる。
　【００２５】　カートリッジ室１１ｂの上部には、巻上げダイヤル２５が配され、その下面に一体に設けた巻上げ軸の先端が写真フイルムカートリッジ１６のスプール１７のキー溝１７ａに係合するようになっている。巻上げダイヤル２５を図中反時計方向に回動操作すると、スプール１７の回転によって撮影済の写真フイルム１６ｂの部分がカートリッジ本体１６ａに巻き込まれる。
　【００２６】　前カバー１４は、本体基部１１の前面を覆うように組み付けられる。前カバー１４の前面には、撮影レンズ１２ａ，ストロボ発光部１３ａを前面に露呈させる開口１４ａ，１４ｂの他、ファインダ１２ｂの視野範囲を規定する対物窓２６が形成されている。この対物窓２６のアスペクト比はハイビジョンＴＶ画面と同じ９：１６になっており、このアスペクト比が写真フイルム１６ａにおける撮影コマの画面サイズの標準アスペクト比となっている。
　【００２７】　対物窓２６の背後には、マスク板２７がスライド自在に組み込まれている。マスク板２７は、つまみ２７ａをスライド操作することにより、対物窓２６の背後に挿入されて、ファインダ視野範囲のアスペクト比を約１：２．８のパノラマ視野範囲に制限するパノラマ位置と、対物窓２６の背後から退避し、ファインダ視野範囲を対物窓２６で規定された標準アスペクト比の標準視野範囲にする標準位置とに切り換えることができる。
　【００２８】　マスク板２７背面には、高反射板２８ａが設けられており、この高反射板２８ａとストロボユニット１３に設けたフォトセンサ２８ｂとでモードセンサ２８（図１参照）を構成している。このモードセンサ２８は、マスク板２７がパノラマ位置にある場合には高反射板２８ａがフォトセンサ２８ｂに対面することにより、「Ｈレベル」のモード信号（ＭＯＤＥ）を出力し、標準位置にある場合には高反射板２８ａがフォトセンサ２８ｂの前面から退避することにより、「Ｌレベル」のモード信号を出力する。このモード信号に基づいて、マスク板２７を標準位置，パノラマ位置のいずれにセットして撮影を行ったかが識別される。
　【００２９】　なお、マスク板２７に代えて他の視野範囲切換え機構を用いれば、標準視野範囲，パノラマ視野範囲の他に、従来のＬプリントサイズのアスペクト比に対応した視野範囲や、ファインダの視野範囲を比較的小さくした望遠視野範囲を加えてもよい。また、撮影時の視野範囲を検知するには、上述のように光電的な手法の他にも、電気的に検知して選択された視野範囲を識別することが可能である。
　【００３０】　前カバー１４の上面には、シャッタボタン３０が一体に設けられている。シャッタチャージの完了後にシャッタボタン３０を押圧すると、露光ユニット１２に組み込まれたシャッタ機構が作動して撮影が行われる。後カバー１５は、本体基部１１の背面及び底面を光密に覆う。カートリッジ室１１ｂの底面を覆う底蓋３１にはボス３１ａが突設され、このボス３１ａでスプール１７の下端を支持してカートリッジ本体１６ａをシェルフロート方式で保持する。」
「【００８５】　以降、上記同様にして順次に撮影が行われ、撮影が完了する毎に撮影データをメモリＩＣ２１に送って書き込む。また、撮影データを書き込んでいる間には、ビジー信号が「Ｌレベル」とされることにより、ストロボ回路３７による充電が禁止される。」
「【００９１】　上記各実施形態では、写真フイルムカートリッジにメモリＩＣを内蔵させた場合について説明したが、ユニット本体側、例えばストロボユニットの回路基板にメモリＩＣを組み付けてもよい。もちろん、記録制御ＩＣにメモリＩＣを内蔵させてもよい。」
「【００９３】【発明の効果】　以上に述べたように、本発明のレンズ付きフイルムユニットによれば、ユニット本体あるいはフイルムカートリッジに組み込まれたメモリＩＣに対してデータの書き込みを行う記録制御ＩＣの充電制御端子を禁止状態にしてストロボ回路によるメインコンデンサの充電を禁止している間に、メモリＩＣに対してデータの書き込みを行うようにしたから、データの書き込み中に、メモリＩＣ，記録制御ＩＣ，ストロボ回路に共通な電源としての電池の電圧がストロボ回路の作動にともなう電圧降下を生じないので、データをメモリＩＣに正しく書き込むことができる。」
　
　そうしてみると、引用刊行物１の上記摘記事項及び図面の図示からみて、前記引用刊行物１には、次の発明（以下、「
引用発明１
「本体基部１１，露光ユニット１２，ストロボユニット１３，前カバー１４，後カバー１５とからなるユニット本体１０と、本体基部１１に装填される写真フイルムカートリッジ１６とからなるレンズ付きフイルムユニットであって、
　前記本体基部１１の暗箱部１１ａの前面に、シャッタチャージ機構，フイルム巻止め機構，カウンタ送り機構，シャッタ駆動機構及びシャッタ羽根，撮影レンズ１２ａ、ファインダ１２ｂを構成する対物レンズと接眼レンズとが組み込まれた露光ユニット１２が、組み付けられるとともに、
　前記前カバー１４は、本体基部１１の前面を覆うように組み付けられ、前記前カバー１４の上面には、シャッタボタン３０が一体に設けられ、シャッタチャージの完了後にシャッタボタン３０を押圧すると、露光ユニット１２に組み込まれたシャッタ機構が作動して撮影が行われるようになっており、
　そして、前記ファインダ１２ｂの視野範囲を規定する対物窓２６の背後に挿入されたスライド自在なマスク板２７を、つまみ２７ａをスライド操作することにより、ファインダ視野範囲のアスペクト比を約１：２．８のパノラマ視野範囲に制限するパノラマ位置と、対物窓２６の背後から退避し、ファインダ視野範囲を対物窓２６で規定された９：１６の標準アスペクト比の標準視野範囲にする標準位置とに切り換えることができる視野範囲切換え機構が組み込まれており、
　さらに、前記マスク板２７背面に設けた高反射板２８ａとストロボユニット１３に設けたフォトセンサ２８ｂとで構成されるモードセンサ２８により、マスク板２７がパノラマ位置にある場合に高反射板２８ａがフォトセンサ２８ｂに対面することにより出力する「Ｈレベル」のモード信号と、マスク板２７が標準位置にある場合に高反射板２８ａがフォトセンサ２８ｂの前面から退避することにより出力する「Ｌレベル」のモード信号に基づいて、マスク板２７を標準位置，パノラマ位置のいずれにセットして撮影を行ったかが識別されるようになっており、
　また、カメラやプリンターに設けられた磁気記録装置によって撮影データやプリント処理に必要なラボデータ等の記録、又は、写真フイルムの種別やフイルムＩＤナンバーの記録に用いられる透明な磁気記録層が、写真フイルム１６ｂの背面側の全面に設けられているとともに、
　シャッタ秒時や絞り値、あるいはストロボ撮影を行ったか否かなどの露出データの他、プリント写真のアスペクト比が標準指定，パノラマ指定，Ｌプリント指定のいずれであるか等の撮影データ等を記録するための、前記磁気記録層とは別異のメモリＩＣ２１が、レンズ付きフイルムユニットに内蔵される写真フイルムカートリッジ１６とは異なる場所にあるストロボユニットの回路基板等のレンズ付きフイルムユニットのユニットの本体側に組み込まれているレンズ付きフイルムユニットにおいて、
　撮影が完了する毎に、前記撮影データが前記メモリＩＣ２１に送られて書き込まれるようにし、
　プリント処理を行う際に、前記メモリＩＣ２１に記録された前記撮影データが現像所で読み出されることにより、露出データをプリント時の露光制御に用いることができ、プリントフォーマットデータをプリント倍率の自動設定やネガマスク，印画紙マスクの切換え制御に用いることができ、またカメラ側で一律の画面サイズで撮影した場合にもユーザーが指定した形態のプリント写真を作ることができるようにした、製造時に予め写真フイルムを装填して販売され、使用後には撮影機本体がメーカーに回収されるレンズ付きフイルムユニット」
　
（２）本願の特許出願前に頒布された刊行物である特開平３−６５４６号公報（以下、「
引用刊行物２
「【課題を解決するための手段】
　本発明に係るフィルムカートリッジ装填機構は、上記目的を達成するために、以下のように構成されている。
　即ち、ハウジング内にフィルムが巻装されたフィルムカートリッジをカメラのカートリッジ室に装填する機構であって、上記フィルムカートリッジの表面に、フィルムの使用状況の記録が表示される表示手段を備え、上記カートリッジ室内に装填されたフィルムカートリッジの上記表示手段の位置に一致して該カートリッジ室内に、該表示手段にフィルムの使用状況を記録する記録手段を備えている。
　表示手段としては、例えば感熱紙や感圧紙でできたシール等をフィルムカートリッジのハウジングの例えば側面等の所定位置に貼り付けて構成する。あるいは感熱性もしくは感圧性の材料を例えば塗布することによって構成する。また記録手段としては、感熱紙等の感熱材料に対しては例えば周知のサーマルヘッドが可能であり、また感圧紙等の感圧材料に対しては例えばばね手段等の圧力発生手段が可能である。記録内容としては、例えばフィルムカートリッジが一旦カメラに装填されたか否か、あるいは何コマ分のフィルムが撮影済みか、さらには未撮影フィルムが残り何コマ分か等の情報を数字やその他の記号で示すことができる。
【作用及び発明の効果】
　本発明に係るフィルムカートリッジ装填機構では、例えばフィルムの巻き戻しが完了してカートリッジ室の蓋が開かれた時に記録手段が作用して表示手段に、その時のフィルムの使用状況を記録する。このように、例えば巻き戻し完了という条件を与えておけば、単にフィルムカートリッジの装填を失敗しただけのときには記録が行われない。また、表示方法としては、１回の記録ごとに表示される表示手段の表示領域を複数箇所に分割することによって、何回か繰り返し表示することも可能である。
　上述のような記録表示がなされると、たとえフィルムの先端部がフィルムカートリッジのハウジング内に入り込んでいても、表示された記録内容によって、そのフィルムカートリッジが使用済みであるか未使用であるかをユーザーが判別できる。さらには、１本のフィルムを途中で巻き戻して一旦取り出した後に再度撮影を行いたい場合にも、新たに撮影を開始する未使用部分の位置を知ることができる。」（２頁右上欄１０行〜同頁右下欄１７行）
「また、図中４２は、上蓋３１に装着されてフィルム情報や各種の撮影情報（フィルムカートリッジ１の撮影済みフィルム枚数）が記録される半導体メモリ基板であり、４３はそのカバーとしての蓋体である。半導体メモリ基板４２にはパターン化された信号接点４２ａが配列されており、各接点は半導体メモリチップ４２ｂに導通されている。
　半導体メモリ基板４２には、使用済みまたは未使用の判別信号が記録され、使用済み信号の記録されたフィルムカートリッジ１が装填された場合には、カメラ本体の方でフィルムのイニシャルローディングが行われないように制御され、二重撮影が防止できる。さらに、撮影済みのフィルム枚数を表す信号が記録され、それが０枚でなければその枚数分だけイニシャルローディング時にスキップしてフィルム送りされ、未使用部分のはじめのところから撮影が開始できるようにセットされる。
　したがって、フィルムカートリッジ内のフィルム全部を撮影しきるまでに一旦巻き戻して取り出しても、再びそのフィルムカートリッジ１で撮影する場合には、自動的に未使用の部分から撮影できる。」（５頁右上欄４行〜同頁左下欄５行）
「上述の実施例では、フィルムカートリッジ１が装填されることによって破られるような箇所にシール７３を貼り付けて、使用済みと未使用との判別が可能なように構成したが、その他にも、感熱材料もしくは感圧材料でできた記録シール等をフィルムカートリッジ１の一部に貼り付け、これにカメラ側で熱もしくは圧力により記録して判別可能に構成することも可能である。
　第１９図（ａ），（ｂ），（ｃ），（ｄ）には、これら記録シール７８がフィルムカートリッジ１に貼設される箇所を例示している。この場合には第２０図に示すように、カメラ側のカートリッジ室３内の所定の箇所に記録装置７９として発熱装置または圧力発生装置が設けられる。設置位置は勿論、フィルムカートリッジ１装填時に記録シール７８に臨む位置である。発熱装置または圧力発生装置としては、公知のサーマルヘッドや、ばね手段等によって圧力を出すものでよい。
　記録の各種表示例を第２１図（ａ），（ｂ），（ｃ），（ｄ），（ｅ）に示す。
　（ａ）は、熱もしくは圧力によって色が変化する記録シール７８を用いる場合を示す。
　（ｂ）は、サーマルヘッドを使用して文字表示も可能な場合を示す。
　（ｃ）は、途中取り出しに対応してフィルムの撮影枚数または残り枚数を数字で表示する場合を示す。
　（ｄ）は、複数回の取り出しに対応して、取り出し毎にそれまでの撮影枚数を色変化で表示する場合を示す。
　（ｅ）は、（ｄ）とは逆に残り枚数を色変化と数字で表示する場合を示す。」（７頁右下欄１６行〜８頁右上欄２行）
　
第３　当審の判断
（１）対比及び一致点・相違点
　本願発明１と上記引用発明１とを対比する。
　まず、引用発明１における「撮影レンズ１２ａ」、「写真フイルムカートリッジ１６」及び「レンズ付きフイルムユニット」のそれぞれが、本願発明１の「撮影レンズ」、「写真フィルム」及び「レンズ付きフィルムユニット」にそれぞれ相当することは明らかである。
　また、引用発明１は、「前記ファインダ１２ｂの視野範囲を規定する対物窓２６の背後に挿入されたスライド自在なマスク板２７を、つまみ２７ａをスライド操作することにより、ファインダ視野範囲のアスペクト比を約１：２．８のパノラマ視野範囲に制限するパノラマ位置と、対物窓２６の背後から退避し、ファインダ視野範囲を対物窓２６で規定された９：１６の標準アスペクト比の標準視野範囲にする標準位置とに切り換えることができる視野範囲切換え機構」が組み込まれており、さらに、「前記マスク板２７背面に設けた高反射板２８ａとストロボユニット１３に設けたフォトセンサ２８ｂとで構成されるモードセンサ２８により、マスク板２７がパノラマ位置にある場合に高反射板２８ａがフォトセンサ２８ｂに対面することにより出力する「Ｈレベル」のモード信号と、マスク板２７が標準位置にある場合に高反射板２８ａがフォトセンサ２８ｂの前面から退避することにより出力する「Ｌレベル」のモード信号に基づいて、マスク板２７を標準位置，パノラマ位置のいずれにセットして撮影を行ったかの識別ができるようになって」いるものである。
　そうすると、引用発明１では、前記視野範囲切換え機構により切り換えられたファインダ視野範囲のアスペクト比については、モードセンサ２８におけるモード信号により、マスク板２７を標準位置，パノラマ位置のいずれにセットして撮影を行ったかが識別されるようになっていることから、引用発明１の「前記ファインダ１２ｂの視野範囲を規定する対物窓２６の背後に挿入されたスライド自在なマスク板２７を、つまみ２７ａをスライド操作することにより、ファインダ視野範囲のアスペクト比を約１：２．８のパノラマ視野範囲に制限するパノラマ位置と、対物窓２６の背後から退避し、ファインダ視野範囲を対物窓２６で規定された９：１６の標準アスペクト比の標準視野範囲にする標準位置とに切り換えることができる視野範囲切換え機構」が、本願発明１の「視野枠の切り換えが自在なファインダ」に相当し、また、引用発明１の「マスク板２７を標準位置，パノラマ位置のいずれにセットして撮影を行ったかの識別」が、本願発明１の「前記ファインダの視野枠切換情報」に相当する。
　そして、引用発明１では、前記視野範囲切換え機構により切り換えられたマスク板２７を標準位置，パノラマ位置のいずれにセットして撮影を行ったかの識別が、撮影が完了する毎に、モードセンサ２８におけるモード信号としてメモリＩＣ２１に送られて書き込まれるようになっているものであるから、引用発明１の「視野範囲切換え機構」と「モードセンサ２８」と「メモリＩＣ２１」とが、本願発明１の「撮影コマごとに、撮影操作に応じて前記ファインダの視野枠切換情報を記録する情報記録機構」を構成しているといえる。
　さらに、引用発明１は、「本体基部１１，露光ユニット１２，ストロボユニット１３，前カバー１４，後カバー１５とからなるユニット本体１０と、本体基部１１に装填される写真フイルムカートリッジ１６とからなるレンズ付きフイルムユニット」であって、前記「本体基部１１に装填される写真フイルムカートリッジ１６」は「レンズ付きフイルムユニットに内蔵され」されており、しかも、「プリント処理を行う際に、前記メモリＩＣ２１に記録された前記撮影データが現像所で読み出されることにより、露出データをプリント時の露光制御に用いることができ、プリントフォーマットデータをプリント倍率の自動設定やネガマスク，印画紙マスクの切換え制御に用いることができ、またカメラ側で一律の画面サイズで撮影した場合にもユーザーが指定した形態のプリント写真を作ることができるようにした、製造時に予め写真フイルムを装填して販売され、使用後には撮影機本体がメーカーに回収されるレンズ付きフイルムユニット」でもあるから、引用発明１の前記「本体基部１１に装填される写真フイルムカートリッジ１６」は、「ユーザによる交換が不能に内蔵され」ているといえる。
　そうすると、引用発明１の「本体基部１１，露光ユニット１２，ストロボユニット１３，前カバー１４，後カバー１５とからなるユニット本体１０と、本体基部１１に装填される写真フイルムカートリッジ１６とからなるレンズ付きフイルムユニット」が、本願発明１の「撮影レンズを備えるとともに写真フィルムがユーザによる交換が不能に内蔵され、撮影操作に応じて撮影を行うレンズ付きフィルムユニット」に相当する。
　また、引用発明１の「プリント写真のアスペクト比が標準指定，パノラマ指定，Ｌプリント指定のいずれであるか等の撮影データ等を記録するためのメモリＩＣ２１」と本願発明１の「感圧紙」とは、ともに「撮影コマごとに、撮影操作に応じて前記ファインダの視野枠切換情報を記録する」ための「記録媒体」である点で共通する。
　そして、引用発明１では、「記録媒体」としての前記「メモリＩＣ２１」が、レンズ付きフイルムユニットに内蔵される写真フイルムカートリッジ１６とは異なる場所にあるストロボユニットの回路基板等のレンズ付きフイルムユニットのユニットの本体側に組み込まれているものであることから、前記「メモリＩＣ２１」が写真フイルムカートリッジ１６とは異なる場所に組み込まれている点で、「前記写真フィルムとは異なる場所に感圧紙を備える」としている本願発明１の「記録媒体」が備えられる場所と一致している。
　
　してみれば、本願発明１と引用発明１の両者は、
　「撮影レンズを備えるとともに写真フィルムがユーザによる交換が不能に内蔵され、撮影操作に応じて撮影を行うレンズ付きフィルムユニットにおいて、
　視野枠の切り換えが自在なファインダと、
　前記写真フィルムとは異なる場所に記録媒体を備えるとともに、該記録媒体に、撮影コマごとに、撮影操作に応じて前記ファインダの視野枠切換情報を記録する情報記録機構を備えたレンズ付きフィルムユニット」
である点で一致し、次の点で両者の構成が相違する。
　
相違点
　
（２）相違点についての検討
　上記引用刊行物２には、「フィルムカートリッジ１の上蓋３１に、フィルム情報や各種の撮影情報（フィルムカートリッジ１の撮影済みフィルム枚数）が記録される半導体メモリ基板４２が装着されるとともに、前記上蓋３１とは別異の場所のフィルムカートリッジ１の一部に、フィルムの使用状況の記録が表示される感圧材料でできた表示手段としての記録シール７８を貼り付け、カートリッジ室３内に装填されたフィルムカートリッジ１の前記記録シール７８の位置に一致して該カートリッジ室３内に、該記録シール７８にフィルムの使用状況を、カメラ側の圧力発生装置の圧力により記録する記録手段としての記録装置７９を備えたフィルムカートリッジ装填機構」の発明が記載されている。
　そうすると、かかる引用刊行物２に記載された発明からみて、「カメラにおいて、半導体メモリ基板４２が装着されるフィルムカートリッジ１の上蓋３１とは別異の場所のフィルムカートリッジ１の一部に、感圧材料でできた表示手段としての記録シール７８を貼り付けておき、カートリッジ室３内に装填されたフィルムカートリッジ１の前記記録シール７８の位置に一致して該カートリッジ室３内に、該記録シール７８に撮影時のデータを、カメラ側の圧力発生装置の圧力により記録する記録手段としての記録装置７９を備えるようにすること」は、本願特許出願前の刊行物に記載された公知技術であるといえる。
　してみれば、ファインダの視野枠切換情報を記録する記録媒体を、引用発明１の「メモリＩＣ２１」に代えて、本願発明１の前記相違点に係る「感圧紙」とすることは、引用発明１に引用刊行物２に記載の前記公知技術を適用することにより、当業者が格別の困難性を要することなく容易に想到できることである。
　
　そして、本願発明１の奏する作用効果は、引用発明１及び引用刊行物２に記載の発明から予測できる範囲内のものであって、格別のものということができない。
　
（３）まとめ
　したがって、本願発明１は、上記引用発明１及び引用刊行物２に記載の発明に基いて当業者が容易に発明をすることができたものである。
　
第４　むすび
　以上のとおりであり、請求項１に係る本願発明１は、上記引用発明１及び引用刊行物２に記載の発明に基いて当業者が容易に発明をすることができたものであり、本願発明１は特許法第２９条第２項の規定により特許を受けることができないから、他の請求項に係る発明について検討するまでもなく、本願は、拒絶されるべきである。
　よって、結論のとおり審決する。